(57)【要約】【課題】  復調装置において複数設けられた受信ブロックの有効活用を図る。【解決手段】  初期状態として周波数変換器Ａ１２２に対して局部発振器Ａ１２１の発振出力を供給し、周波数変換器Ｂ２２２に対して局部発振器Ｂ２２１の発振出力を供給する。信号強度表示部Ｂ２４０で所定の受信強度を測定してから所定時間内に信号強度表示部Ａ１４０で所定の受信強度を測定できない場合、周波数変換器Ａ１２２に対して局部発振器Ｂ２２１の発振出力を供給するようスイッチＡ３０１を切り替える。そして、周波数誤差調整部Ａ１６０は周波数誤差調整部Ｂ２６０において生成された周波数誤差により周波数誤差調整を行い、タイミング再生部Ａ１７０はタイミング再生部Ｂ２７０において生成された再生タイミングを離散フーリエ変換器Ａ１８０に供給する。【選択図】      図２
2005333525.tif 000002
【特許請求の範囲】
【請求項１】
第１または第２の周波数による高周波信号を受信するための第１および第２の高周波受信手段と、
前記第１および第２の高周波受信手段において受信された信号の強度をそれぞれ検出する第１および第２の信号強度検出手段と、
前記第１の高周波受信手段において前記第１の周波数による高周波信号を受信させるとともに前記第２の高周波受信手段において前記第２の周波数による高周波信号を受信させた際に、前記第１の信号強度検出手段において所定の信号強度を検出してから所定時間内に前記第２の信号強度検出手段において所定の信号強度を検出しなかった場合には前記第２の高周波受信手段において前記第１の周波数による高周波信号を受信させるよう制御する強度判定手段と
を具備することを特徴とする復調装置。
【請求項２】
前記第１および第２の高周波受信手段において受信された信号のキャリア周波数誤差をそれぞれ生成して調整する第１および第２の周波数誤差調整手段と、
前記第１の信号強度検出手段において所定の信号強度を検出してから所定時間内に前記第２の信号強度検出手段において所定の信号強度を検出しなかった場合には前記第１の周波数誤差調整手段において生成されたキャリア周波数誤差を前記第２の周波数誤差調整手段に供給する周波数誤差調整制御手段と
をさらに具備することを特徴とする請求項１記載の復調装置。
【請求項３】
前記第１および第２の周波数誤差調整手段のそれぞれの出力信号について復調処理のタイミングを再生する第１および第２のタイミング再生手段と、
前記第１の信号強度検出手段において所定の信号強度を検出してから所定時間内に前記第２の信号強度検出手段において所定の信号強度を検出しなかった場合には前記第１のタイミング再生手段において再生されたタイミングを前記第２のタイミング再生手段に供給するタイミング再生制御手段と
をさらに具備することを特徴とする請求項２記載の復調装置。
【請求項４】
前記第１および第２の高周波受信手段において受信された信号について復調処理のタイミングを再生する第１および第２のタイミング再生手段と、
前記第１の信号強度検出手段において所定の信号強度を検出してから所定時間内に前記第２の信号強度検出手段において所定の信号強度を検出しなかった場合には前記第１のタイミング再生手段において再生されたタイミングを前記第２のタイミング再生手段に供給するタイミング再生制御手段と
をさらに具備することを特徴とする請求項１記載の復調装置。
【請求項５】
第１または第２の周波数による高周波信号を受信するための第１および第２の高周波受信手段と、
前記第１および第２の高周波受信手段において受信された信号の強度をそれぞれ検出する第１および第２の信号強度検出手段と、
前記第１の高周波受信手段において前記第１の周波数による高周波信号を受信させるとともに前記第２の高周波受信手段において前記第２の周波数による高周波信号を受信させた際に、前記第１の信号強度検出手段において所定の信号強度を検出してから所定時間内に前記第２の信号強度検出手段において所定の信号強度を検出しなかった場合には前記第２の高周波受信手段において前記第１の周波数による高周波信号を受信させるよう制御する強度判定手段と、
前記第１および第２の高周波受信手段において受信された信号のキャリア周波数誤差をそれぞれ生成して調整する第１および第２の周波数誤差調整手段と、
前記第１の信号強度検出手段において所定の信号強度を検出してから所定時間内に前記第２の信号強度検出手段において所定の信号強度を検出しなかった場合には前記第１の周波数誤差調整手段において生成されたキャリア周波数誤差を前記第２の周波数誤差調整手段に供給する周波数誤差調整制御手段と、
前記第１および第２の周波数誤差調整手段のそれぞれの出力信号について復調処理を行う第１および第２の復調手段と、
前記第１および第２の周波数誤差調整手段のそれぞれの出力信号について前記第１および第２の復調手段における復調処理のタイミングを再生する第１および第２のタイミング再生手段と、
前記第１の信号強度検出手段において所定の信号強度を検出してから所定時間内に前記第２の信号強度検出手段において所定の信号強度を検出しなかった場合には前記第１のタイミング再生手段において再生されたタイミングを前記第２のタイミング再生手段に供給するタイミング再生制御手段と、
前記第１および第２の復調手段の出力信号の信号処理を行う信号処理手段と
を具備することを特徴とする復調装置。
【請求項６】
前記信号処理手段は、前記第１および第２の復調手段の出力信号それぞれについてエラー検出を行うエラー検出手段と、前記第１および第２の復調手段の出力信号のうち前記エラー検出手段によってエラー検出のされなかった方を選択する選択手段とを備える
ことを特徴とする請求項５記載の復調装置。
【請求項７】
前記信号処理手段は、前記第１および第２の復調手段の出力信号のうち前記第１および第２の信号強度検出手段において検出された信号強度の高い方を選択する選択手段を備える
ことを特徴とする請求項５記載の復調装置。
【請求項８】
前記信号処理手段は、前記第１および第２の復調手段の出力信号をサブキャリア単位で合成する合成手段を備える
ことを特徴とする請求項５記載の復調装置。
【請求項９】
第１または第２の周波数による高周波信号を受信するための第１および第２の高周波受信手段と、前記第１および第２の高周波受信手段において受信された信号のキャリア周波数誤差をそれぞれ生成して調整する第１および第２の周波数誤差調整手段と、前記第１および第２の周波数誤差調整手段のそれぞれの出力信号について復調処理のタイミングを再生する第１および第２のタイミング再生手段とを備える復調装置において、
前記第１の高周波受信手段において前記第１の周波数による高周波信号を受信させるとともに前記第２の高周波受信手段において前記第２の周波数による高周波信号を受信させる手順と、
前記第１および第２の高周波受信手段において受信された信号の強度をそれぞれ検出する手順と、
前記第１の高周波受信手段について所定の信号強度を検出してから所定時間内に前記第２の高周波受信手段について所定の信号強度を検出しなかった場合には前記第２の高周波受信手段において前記第１の周波数による高周波信号を受信させるよう制御する手順と、
前記第１の高周波受信手段について所定の信号強度を検出してから所定時間内に前記第２の高周波受信手段について所定の信号強度を検出しなかった場合には前記第１の周波数誤差調整手段において生成されたキャリア周波数誤差を前記第２の周波数誤差調整手段に供給する手順と、
前記第１の高周波受信手段について所定の信号強度を検出してから所定時間内に前記第２の高周波受信手段について所定の信号強度を検出しなかった場合には前記第１のタイミング再生手段において再生されたタイミングを前記第２のタイミング再生手段に供給する手順と
を具備することを特徴とする復調方法。
【請求項１０】
第１または第２の周波数による高周波信号を受信するための第１および第２の高周波受信手段と、前記第１および第２の高周波受信手段において受信された信号のキャリア周波数誤差をそれぞれ生成して調整する第１および第２の周波数誤差調整手段と、前記第１および第２の周波数誤差調整手段のそれぞれの出力信号について復調処理のタイミングを再生する第１および第２のタイミング再生手段とを備える復調装置において、
前記第１の高周波受信手段において前記第１の周波数による高周波信号を受信させるとともに前記第２の高周波受信手段において前記第２の周波数による高周波信号を受信させる手順と、
前記第１および第２の高周波受信手段において受信された信号の強度をそれぞれ検出する手順と、
前記第１の高周波受信手段について所定の信号強度を検出してから所定時間内に前記第２の高周波受信手段について所定の信号強度を検出しなかった場合には前記第２の高周波受信手段において前記第１の周波数による高周波信号を受信させるよう制御する手順と、
前記第１の高周波受信手段について所定の信号強度を検出してから所定時間内に前記第２の高周波受信手段について所定の信号強度を検出しなかった場合には前記第１の周波数誤差調整手段において生成されたキャリア周波数誤差を前記第２の周波数誤差調整手段に供給する手順と、
前記第１の高周波受信手段について所定の信号強度を検出してから所定時間内に前記第２の高周波受信手段について所定の信号強度を検出しなかった場合には前記第１のタイミング再生手段において再生されたタイミングを前記第２のタイミング再生手段に供給する手順と
をコンピュータに実行させることを特徴とするプログラム。
【発明の詳細な説明】
【技術分野】
【０００１】
本発明は、復調装置に関し、特に複数の搬送波を同時に復調する復調装置、および、その処理方法ならびに当該方法をコンピュータに実行させるプログラムに関する。
【背景技術】
【０００２】
半導体技術の進歩により復調装置における回路の小型化が進み、１台で複数の搬送波を同時に復調する復調装置が利用されるようになっている。例えば、周波数ダイバーシティ方式では、送信側において異なる複数の搬送波により同一の信号を送信し、受信側においてそれらを選択または合成することにより特性改善を図る。この周波数ダイバーシティ方式においては、同一信号が複数の搬送波により送信されるため、そのうちのいくつかが受信不可能となった場合でも他の搬送波により受信を行なうことが出来るという利点を有する。特に、ＯＦＤＭ（直交周波数分割多重）方式では多くの搬送波を持つため、全ての搬送波が受信不能となる可能性は極めて低く、また、同一信号を送る搬送波の組み合わせを柔軟に選択出来るという理由から広く用いられている（例えば、特許文献１および特許文献２参照。）。
【０００３】
このような復調装置においては、各搬送波に対応してそれぞれ異なる受信ブロックが設けられ、それら受信ブロックがそれぞれ対応する搬送波の受信を担当するように構成される。
【特許文献１】特開２０００−２０１１３０号公報（図５）
【特許文献２】特開平１０−３３６１５９号公報（図１）
【発明の開示】
【発明が解決しようとする課題】
【０００４】
上述のように、複数の搬送波を同時に復調する復調装置は、各搬送波に対応して複数の受信ブロックを備える。しかしながら、例えば通信状態の悪化によって、それら受信ブロックに対応する搬送波の受信が行なえない場合には、その受信ブロックにおける復調処理も行われなくなる。すなわち、復調装置に複数の受信ブロックを設けておきながら、全く活用されない受信ブロックが存在することになり、ハードウエア資源の利用効率という観点からみて非効率であるといえる。
【０００５】
そこで、本発明は、このような実情を鑑みてなされたものであり、復調装置における受信ブロックの有効活用を図ることを目的とする。
【課題を解決するための手段】
【０００６】
上記課題を解決するために本発明の請求項１記載の復調装置は、第１または第２の周波数による高周波信号を受信するための第１および第２の高周波受信手段と、上記第１および第２の高周波受信手段において受信された信号の強度をそれぞれ検出する第１および第２の信号強度検出手段と、上記第１の高周波受信手段において上記第１の周波数による高周波信号を受信させるとともに上記第２の高周波受信手段において上記第２の周波数による高周波信号を受信させた際に、上記第１の信号強度検出手段において所定の信号強度を検出してから所定時間内に上記第２の信号強度検出手段において所定の信号強度を検出しなかった場合には上記第２の高周波受信手段において上記第１の周波数による高周波信号を受信させるよう制御する強度判定手段とを具備する。これにより、所定の信号強度を検出しない周波数による受信を止めて空間ダイバシティによって受信ブロックとしての利用効率を高めるという作用をもたらす。
【０００７】
また、本発明の請求項２記載の復調装置は、請求項１記載の復調装置において、上記第１および第２の高周波受信手段において受信された信号のキャリア周波数誤差をそれぞれ生成して調整する第１および第２の周波数誤差調整手段と、上記第１の信号強度検出手段において所定の信号強度を検出してから所定時間内に上記第２の信号強度検出手段において所定の信号強度を検出しなかった場合には上記第１の周波数誤差調整手段において生成されたキャリア周波数誤差を上記第２の周波数誤差調整手段に供給する周波数誤差調整制御手段とをさらに具備する。これにより、第１の周波数誤差調整手段において生成されたキャリア周波数誤差を利用して第２の周波数誤差調整手段に周波数誤差調整を行わせるという作用をもたらす。
【０００８】
また、本発明の請求項３記載の復調装置は、請求項２記載の復調装置において、上記第１および第２の周波数誤差調整手段のそれぞれの出力信号について復調処理のタイミングを再生する第１および第２のタイミング再生手段と、上記第１の信号強度検出手段において所定の信号強度を検出してから所定時間内に上記第２の信号強度検出手段において所定の信号強度を検出しなかった場合には上記第１のタイミング再生手段において再生されたタイミングを上記第２のタイミング再生手段に供給するタイミング再生制御手段とをさらに具備する。これにより、第１のタイミング再生手段において再生されたタイミングを利用して第２のタイミング再生手段にタイミング再生を行わせるという作用をもたらす。
【０００９】
また、本発明の請求項４記載の復調装置は、請求項１記載の復調装置において、上記第１および第２の高周波受信手段において受信された信号について復調処理のタイミングを再生する第１および第２のタイミング再生手段と、上記第１の信号強度検出手段において所定の信号強度を検出してから所定時間内に上記第２の信号強度検出手段において所定の信号強度を検出しなかった場合には上記第１のタイミング再生手段において再生されたタイミングを上記第２のタイミング再生手段に供給するタイミング再生制御手段とをさらに具備する。これにより、第１のタイミング再生手段において再生されたタイミングを利用して第２のタイミング再生手段にタイミング再生を行わせるという作用をもたらす。
【００１０】
また、本発明の請求項５記載の復調装置は、第１または第２の周波数による高周波信号を受信するための第１および第２の高周波受信手段と、上記第１および第２の高周波受信手段において受信された信号の強度をそれぞれ検出する第１および第２の信号強度検出手段と、上記第１の高周波受信手段において上記第１の周波数による高周波信号を受信させるとともに上記第２の高周波受信手段において上記第２の周波数による高周波信号を受信させた際に、上記第１の信号強度検出手段において所定の信号強度を検出してから所定時間内に上記第２の信号強度検出手段において所定の信号強度を検出しなかった場合には上記第２の高周波受信手段において上記第１の周波数による高周波信号を受信させるよう制御する強度判定手段と、上記第１および第２の高周波受信手段において受信された信号のキャリア周波数誤差をそれぞれ生成して調整する第１および第２の周波数誤差調整手段と、上記第１の信号強度検出手段において所定の信号強度を検出してから所定時間内に上記第２の信号強度検出手段において所定の信号強度を検出しなかった場合には上記第１の周波数誤差調整手段において生成されたキャリア周波数誤差を上記第２の周波数誤差調整手段に供給する周波数誤差調整制御手段と、上記第１および第２の周波数誤差調整手段のそれぞれの出力信号について復調処理を行う第１および第２の復調手段と、上記第１および第２の周波数誤差調整手段のそれぞれの出力信号について上記第１および第２の復調手段における復調処理のタイミングを再生する第１および第２のタイミング再生手段と、上記第１の信号強度検出手段において所定の信号強度を検出してから所定時間内に上記第２の信号強度検出手段において所定の信号強度を検出しなかった場合には上記第１のタイミング再生手段において再生されたタイミングを上記第２のタイミング再生手段に供給するタイミング再生制御手段と、上記第１および第２の復調手段の出力信号の信号処理を行う信号処理手段とを具備する。これにより、所定の信号強度を検出しない周波数による受信を止めて空間ダイバシティによって受信ブロックとしての利用効率を高めるという作用をもたらす。
【００１１】
また、本発明の請求項６記載の復調装置は、請求項５記載の復調装置において、上記信号処理手段が、上記第１および第２の復調手段の出力信号それぞれについてエラー検出を行うエラー検出手段と、上記第１および第２の復調手段の出力信号のうち上記エラー検出手段によってエラー検出のされなかった方を選択する選択手段とを備えるものである。これにより、第１および第２の復調手段の出力信号のうち何れかエラー検出のされなかった方を選択させるという作用をもたらす。
【００１２】
また、本発明の請求項７記載の復調装置は、請求項５記載の復調装置において、上記信号処理手段が、上記第１および第２の復調手段の出力信号のうち上記第１および第２の信号強度検出手段において検出された信号強度の高い方を選択する選択手段を備えるものである。これにより、信号強度を基準とした安定した信号を選択させるという作用をもたらす。
【００１３】
また、本発明の請求項８記載の復調装置は、請求項５記載の復調装置において、上記信号処理手段が、上記第１および第２の復調手段の出力信号をサブキャリア単位で合成する合成手段を備えるものである。これにより、サブキャリア単位で安定した信号を合成させるという作用をもたらす。
【００１４】
また、本発明の請求項９記載の復調方法は、第１または第２の周波数による高周波信号を受信するための第１および第２の高周波受信手段と、上記第１および第２の高周波受信手段において受信された信号のキャリア周波数誤差をそれぞれ生成して調整する第１および第２の周波数誤差調整手段と、上記第１および第２の周波数誤差調整手段のそれぞれの出力信号について復調処理のタイミングを再生する第１および第２のタイミング再生手段とを備える復調装置において、上記第１の高周波受信手段において上記第１の周波数による高周波信号を受信させるとともに上記第２の高周波受信手段において上記第２の周波数による高周波信号を受信させる手順と、上記第１および第２の高周波受信手段において受信された信号の強度をそれぞれ検出する手順と、上記第１の高周波受信手段について所定の信号強度を検出してから所定時間内に上記第２の高周波受信手段について所定の信号強度を検出しなかった場合には上記第２の高周波受信手段において上記第１の周波数による高周波信号を受信させるよう制御する手順と、上記第１の高周波受信手段について所定の信号強度を検出してから所定時間内に上記第２の高周波受信手段について所定の信号強度を検出しなかった場合には上記第１の周波数誤差調整手段において生成されたキャリア周波数誤差を上記第２の周波数誤差調整手段に供給する手順と、上記第１の高周波受信手段について所定の信号強度を検出してから所定時間内に上記第２の高周波受信手段について所定の信号強度を検出しなかった場合には上記第１のタイミング再生手段において再生されたタイミングを上記第２のタイミング再生手段に供給する手順とを具備する。これにより、所定の信号強度を検出しない周波数による受信を止めて空間ダイバシティによって受信ブロックとしての利用効率を高めるという作用をもたらす。
【００１５】
また、本発明の請求項１０記載のプログラムは、第１または第２の周波数による高周波信号を受信するための第１および第２の高周波受信手段と、上記第１および第２の高周波受信手段において受信された信号のキャリア周波数誤差をそれぞれ生成して調整する第１および第２の周波数誤差調整手段と、上記第１および第２の周波数誤差調整手段のそれぞれの出力信号について復調処理のタイミングを再生する第１および第２のタイミング再生手段とを備える復調装置において、上記第１の高周波受信手段において上記第１の周波数による高周波信号を受信させるとともに上記第２の高周波受信手段において上記第２の周波数による高周波信号を受信させる手順と、上記第１および第２の高周波受信手段において受信された信号の強度をそれぞれ検出する手順と、上記第１の高周波受信手段について所定の信号強度を検出してから所定時間内に上記第２の高周波受信手段について所定の信号強度を検出しなかった場合には上記第２の高周波受信手段において上記第１の周波数による高周波信号を受信させるよう制御する手順と、上記第１の高周波受信手段について所定の信号強度を検出してから所定時間内に上記第２の高周波受信手段について所定の信号強度を検出しなかった場合には上記第１の周波数誤差調整手段において生成されたキャリア周波数誤差を上記第２の周波数誤差調整手段に供給する手順と、上記第１の高周波受信手段について所定の信号強度を検出してから所定時間内に上記第２の高周波受信手段について所定の信号強度を検出しなかった場合には上記第１のタイミング再生手段において再生されたタイミングを上記第２のタイミング再生手段に供給する手順とをコンピュータに実行させるものである。これにより、所定の信号強度を検出しない周波数による受信を止めて空間ダイバシティによって受信ブロックとしての利用効率を高めるという作用をもたらす。
【発明の効果】
【００１６】
本発明によれば、復調装置において複数設けられた受信ブロックの有効活用を図るという優れた効果を奏し得る。
【発明を実施するための最良の形態】
【００１７】
次に本発明の実施の形態について図面を参照して詳細に説明する。
【００１８】
図１は、本発明の実施の形態における復調装置の一構成例を示す図である。この復調装置は、アンテナＡ１１０およびＢ２１０と、高周波回路Ａ１２０およびＢ２２０と、復調部Ａ１３０およびＢ２３０と、制御部３００と、信号処理部４００と、通信制御部５００と、周辺インターフェース５９０とを備える。すなわち、この復調装置は受信ブロックとして、アンテナＡ１１０、高周波回路Ａ１２０および復調部Ａ１３０、ならびに、アンテナＢ２１０、高周波回路Ｂ２２０および復調部Ｂ２３０、の２系統を備えるものである。なお、ここでは、説明の都合上、２系統の受信ブロックを備える復調装置を例として挙げるが、これに限られず３系統以上の受信ブロックを備える復調装置にも同様に適用することができる。
【００１９】
アンテナＡ１１０およびＢ２１０は、それぞれ別々の信号を受信するために用いられる。例えば、それぞれ２．４ＧＨｚ帯および５．２ＧＨｚ帯の高周波信号を受信するものとしてもよく、また、同一周波数帯における異なる搬送波による高周波信号を受信するものとしてもよい。高周波回路Ａ１２０およびＢ２２０は、それぞれアンテナＡ１１０およびＢ２１０に接続し、アンテナＡ１１０およびＢ２１０からの高周波信号を中間周波信号に変換する役割を有する。これら高周波回路Ａ１２０およびＢ２２０における周波数変換は、制御部３００によって制御される。
【００２０】
復調部Ａ１３０およびＢ２３０は、それぞれ高周波回路Ａ１２０およびＢ２２０に接続し、高周波回路Ａ１２０およびＢ２２０からの中間周波信号を復調する役割を有する。これら復調部Ａ１３０およびＢ２３０における復調処理は、制御部３００によって制御される。
【００２１】
信号処理部４００は、復調部Ａ１３０およびＢ２３０に接続し、復調部Ａ１３０およびＢ２３０からの２系統の信号を合成等する役割を有する。通信制御部５００は、信号処理部４００に接続し、信号処理部４００から供給された信号について主として論理層の処理を行うものである。論理層の処理としては、例えば、データリンク層におけるＭＡＣ（メディアアクセス制御）副層のフレーム処理が含まれる。
【００２２】
周辺インターフェース５９０は、その受信装置を接続するためのインターフェースであり、その受信装置が端末局である場合には、周辺インターフェース５９０としてホストインターフェースが使用され、このホストインターフェースのポート５９９にはコンピュータ等のホスト機器が接続される。一方、その受信装置が基地局である場合には、周辺インターフェース５９０としてネットワークインターフェースが使用され、このネットワークインターフェースのポート５９９にはインターネット等を利用するためのモデム等が接続される。
【００２３】
図２は、本発明の実施の形態における復調装置の受信ブロックの内部構成の一例を示す図である。ここでは、２系統の受信ブロックを想定し、高周波回路Ａ１２０およびＢ２２０としてそれぞれ、局部発振器Ａ１２１およびＢ２２１と、周波数変換器Ａ１２２およびＢ２２２とを備えている。また、これら局部発振器Ａ１２１およびＢ２２１と周波数変換器Ａ１２２およびＢ２２２との間にはスイッチＡ３０１およびＢ３０２が設けられている。これらスイッチＡ３０１およびＢ３０２は、制御部３００からの制御に従い、局部発振器Ａ１２１またはＢ２２１による発振出力を周波数変換器Ａ１２２およびＢ２２２に供給するよう接続を切り替える。
【００２４】
周波数変換器Ａ１２２およびＢ２２２は、局部発振器Ａ１２１またはＢ２２１から供給された発振出力に応じて、それぞれアンテナＡ１１０およびＢ２１０からの高周波信号を中間周波信号に変換する。すなわち、受信しようとする周波数よりも中間周波数だけ高いもしくは低い周波数を局部発振器Ａ１２１またはＢ２２１で発振させておいて、周波数変換器Ａ１２２およびＢ２２２において高周波信号と掛け合わせることにより、中間周波数を有する中間周波信号を得る。
【００２５】
また、この受信ブロックは、復調部Ａ１３０およびＢ２３０としてそれぞれ、信号強度表示部Ａ１４０およびＢ２４０と、信号増幅部Ａ１５０およびＢ２５０と、周波数誤差調整部Ａ１６０およびＢ２６０と、タイミング再生部Ａ１７０およびＢ２７０と、離散フーリエ変換器Ａ１８０およびＢ２８０と、振幅位相補正部Ａ１９０およびＢ２９０と、その補正量算出部Ａ１９１およびＢ２９１とを備える。
【００２６】
信号強度表示部（ＲＳＳＩ：Received Signal Strength Indicator）Ａ１４０およびＢ２４０は、それぞれ周波数変換器Ａ１２２およびＢ２２２に接続し、それぞれ周波数変換器Ａ１２２およびＢ２２２からの信号の信号強度を測定する。これら測定結果は、制御部３００にそれぞれ供給される。例えば、この信号強度が−５２［ｄＢｍ］を超えた場合に、信号強度表示部Ａ１４０およびＢ２４０は、制御部３００にその旨を知らせる。
【００２７】
信号増幅部Ａ１５０およびＢ２５０は、それぞれ周波数変換器Ａ１２２およびＢ２２２に接続し、周波数変換器Ａ１２２およびＢ２２２からの信号を制御部３００からの指示に従って所定の受信レベルまで増幅する。この所定の受信レベルとしては、周波数誤差調整部Ａ１６０およびＢ２６０におけるアナログ信号からデジタル信号への変換の際のダイナミックレンジに収まる範囲であり、受信信号の最大から最小までの振幅値が例えば１００［ｍＶｐ−ｐ（ピーク・ツー・ピーク）］になったこと等を基準として用いることができる。また、信号増幅部Ａ１５０およびＢ２５０は、その動作状況に関する情報を制御部３００へ出力する。これら信号増幅部Ａ１５０およびＢ２５０は、例えば、ＡＧＣ（Automatic Gain Control：自動利得制御）回路により実現することができる。
【００２８】
周波数誤差調整部Ａ１６０およびＢ２６０は、それぞれ信号増幅部Ａ１５０およびＢ２５０に接続し、信号増幅部Ａ１５０およびＢ２５０によって増幅された信号を制御部３００からの指示に従って所定の中心周波数へ周波数シフトする。この周波数の誤差調整は、送受信装置間のキャリア周波数誤差を調整し同期をとるためのものである。周波数誤差調整部Ａ１６０およびＢ２６０は、その周波数シフト量に関する情報を制御部３００へ出力する。これら周波数誤差調整部Ａ１６０およびＢ２６０は、例えば、ＡＦＣ（Automatic Frequency Control：自動周波数制御）回路により実現することができる。
【００２９】
タイミング再生部Ａ１７０およびＢ２７０は、それぞれ周波数誤差調整部Ａ１６０およびＢ２６０に接続し、周波数誤差調整部Ａ１６０およびＢ２６０によって周波数誤差調整された信号について、制御部３００からの指示に従って所定の復調タイミングを再生する。この復調タイミングは離散フーリエ変換器Ａ１８０またはＢ２８０における復調処理の際に、ＯＦＤＭ信号の受信を検出してＯＦＤＭシンボルと復調処理のタイミング同期をとるためのものであり、このタイミング再生部Ａ１７０およびＢ２７０によって再生された復調タイミングを再生タイミングという。タイミング再生部Ａ１７０およびＢ２７０は、この再生タイミング情報を制御部３００へ出力する。
【００３０】
離散フーリエ変換器Ａ１８０およびＢ２８０は、それぞれ周波数誤差調整部Ａ１６０およびＢ２６０に接続し、周波数誤差調整部Ａ１６０およびＢ２６０によって周波数誤差調整された信号について、それぞれタイミング再生部Ａ１７０およびＢ２７０からのタイミング情報に従って復調処理を行なう。これは、ＯＦＤＭ信号からサブキャリア信号に分波するマルチキャリア復調を行うものである。
【００３１】
補正量算出部Ａ１９１およびＢ２９１は、それぞれ離散フーリエ変換器Ａ１８０およびＢ２８０に接続し、離散フーリエ変換器Ａ１８０およびＢ２８０からの信号から伝搬路の伝送路特性を推定して振幅位相補正量を算出する。
【００３２】
振幅位相補正部Ａ１９０およびＢ２９０は、それぞれ離散フーリエ変換器Ａ１８０およびＢ２８０ならびに補正量算出部Ａ１９１およびＢ２９１に接続し、離散フーリエ変換器Ａ１８０およびＢ２８０からの信号と補正量算出部Ａ１９１およびＢ２９１からの振幅位相補正量とを掛け合わし振幅位相補正を施した信号を信号処理部４００へ出力する。
【００３３】
図３は、ＩＥＥＥ８０２．１１ａ規格におけるフレーム構成を示す図である。ＩＥＥＥ８０２．１１ａ規格は、ＩＥＥＥ（米国電気電子学会）の８０２標準化委員会のワーキンググループによる規格である。以下、本発明の実施の形態における復調装置では、このＩＥＥＥ８０２．１１ａ規格によるフレームを受信することを想定する。
【００３４】
このＩＥＥＥ８０２．１１ａ規格によるフレームは、ＰＬＣＰ（物理層コンバージェンスプロトコル：Physical Layer Convergence Protocol）プリアンブル６１０と、シグナル６２０と、データ６３０とから構成される。ＰＬＣＰプリアンブル６１０は、無線パケット信号の受信同期処理のための既定の固定パターン信号である。シグナル６２０は、データ６３０の伝送速度とデータ長を含むＯＦＤＭシンボルである。データ６３０は、情報データの本体を含むフィールドである。
【００３５】
論理フィールドに着目すると、シグナル６２０は、４ビットの伝送速度６４１と、１ビットの予約ビット６４２と、１２ビットのデータ長６４３と、１ビットのパリティ６４４と、これらの畳み込み符号化を終端する６ビットのテール６４５とから成る。伝送速度６４１およびデータ長６４３は何れもデータ６３０に関するものである。シグナル６２０自身は、最も信頼性の高い６Ｍｂｐｓの伝送速度、すなわち符号化率＝１／２のＢＰＳＫ（Binary Phase Shift Keying）変調により伝送される。
【００３６】
データ６３０は、１６ビットのサービス６４６と、可変長のデータＰＳＤＵ（PLCP Sevice Data Unit）６５０と、これらの畳み込み符号化を終端する６ビットのテール６５８と、ＯＦＤＭシンボルの余ったビットを充填するパディングビット６５９とから成る。なお、サービス６４６は、スクランブラの初期状態を与えるための７ビットの「０」と、９ビットの予約ビットとから成る。また、シグナル６２０の各フィールドとサービス６４６は、ＰＬＣＰヘッダ６４０を構成する。
【００３７】
フレーム内の物理信号に着目すると、ＰＬＣＰプリアンブル６１０は、１０個のショートトレーニングシンボル６１１を含むショートプリアンブルと、２個のロングトレーニングシンボル６１３および６１４を含むロングプリアンブルとから成る。ショートプリアンブルは、１２波のサブキャリアによる周期０．８μｓの既定の固定パターン信号であり、ｔ１乃至ｔ１０の１０個で計８μｓの信号になる。このショートプリアンブルは、信号強度表示部Ａ１４０およびＢ２４０における無線パケット信号の検出、信号増幅部Ａ１５０およびＢ２５０における信号増幅、周波数誤差調整部Ａ１６０およびＢ２６０におけるキャリア周波数誤差の粗調整、タイミング再生部Ａ１７０およびＢ２７０におけるシンボルタイミング検出などに用いられる。
【００３８】
一方、ロングプリアンブルは、５２波のサブキャリアによる２シンボルの繰り返し信号であり、１．６μｓのガードインターバル６１２に続く２個の３．２μｓのロングトレーニングシンボル６１３および６１４で計８μｓの信号になる。このロングプリアンブルは、周波数誤差調整部Ａ１６０およびＢ２６０におけるキャリア周波数誤差の微調整や、補正量算出部Ａ１９１およびＢ２９１におけるチャネル推定、すなわちサブキャリア毎の基準振幅および基準位相の検出などに用いられる。
【００３９】
シグナル６２０では、３．２μｓのシグナル６２２本体の前に０．８μｓのガードインターバル６２１が付加され、計４μｓの信号になる。また、データ６３０についても、３．２μｓのデータ６３２本体の前に０．８μｓのガードインターバル６３１が付加された計４μｓの信号がデータ長６４３に応じて繰り返されるようになっている。
【００４０】
図４は、本発明の実施の形態における周波数誤差調整部Ａ１６０の一構成例を示す図である。この周波数誤差調整部Ａ１６０は、ＯＦＤＭシンボルの繰り返し間隔だけ離れた信号間の相関を利用して平均位相回転値量を検出してキャリア周波数の誤差を求めるものであり、遅延回路１６１と、複素共役演算回路１６２と、複素乗算回路１６３と、平均位相回転量算出回路１６４と、周波数誤差検出回路１６５と、周波数誤差保持部１６６と、積分回路１６７と、複素共役ベクトル変換演算回路１６８と、複素乗算回路１６９とを備える。
【００４１】
遅延回路１６１は、ＯＦＤＭシンボルの繰り返し信号区間の時間だけ信号増幅部Ａ１５０からのＯＦＤＭ信号を遅延させるものである。複素共役演算回路１６２は、遅延回路１６１の出力に対して複素共役演算を施して複素信号の虚数成分の値だけ正負を反転させることにより位相回転方向を逆にするものである。複素乗算回路１６３は、遅延回路１６１および複素共役演算回路１６２によって位相回転方向を逆にした遅延ＯＦＤＭ信号と信号増幅部Ａ１５０からの現在のＯＦＤＭ信号との複素乗算を行うことにより位相回転量を算出するものである。
【００４２】
平均位相回転量算出回路１６４は、複素乗算回路１６３によって算出された位相回転量について、ＯＦＤＭシンボルの繰り返し区間に亘って平均処理を行うことにより平均位相回転量を算出するものである。周波数誤差検出回路１６５は、平均位相回転量算出回路１６４によって算出された平均位相回転量に基づいてキャリア周波数誤差を算出するものである。
【００４３】
周波数誤差保持部１６６は、このようにして算出されたキャリア周波数誤差をそのフレームに亘って保持するものである。この周波数誤差保持部１６６の入力部分には選択器が備えられ、周波数誤差保持部１６６は制御部３００から供給された値を保持することもできる。また、この周波数誤差保持部１６６の出力は制御部３００にも出力される。
【００４４】
積分回路１６７は、周波数誤差保持部１６６に保持された値について積分処理を行うものである。複素共役ベクトル変換演算回路１６８は、積分回路１６７によって積分された値について積分共役とベクトル変換演算を行うものである。複素乗算回路１６９は、複素共役ベクトル変換演算回路１６８の出力と現在のＯＦＤＭ信号との複素乗算を行うことによりキャリア周波数誤差の補正を行うものである。このようにしてキャリア周波数誤差が補正された信号はタイミング再生部Ａ１７０および離散フーリエ変換器Ａ１８０に出力される。
【００４５】
なお、ここでは周波数誤差調整部Ａ１６０の構成例について説明したが、周波数誤差調整部Ｂ２６０も同様の構成により実現可能である。
【００４６】
図５は、本発明の実施の形態におけるタイミング再生部Ａ１７０の一構成例を示す図である。このタイミング再生部Ａ１７０は、ＯＦＤＭシンボルの繰り返し信号区間を利用した自己相関型のタイミング再生回路であり、遅延回路１７１と、複素共役演算回路１７２と、複素乗算回路１７３と、平均処理回路１７４と、ピーク位置検出回路１７５と、選択器１７６とを備える。
【００４７】
遅延回路１７１は、ＯＦＤＭシンボルの繰り返し信号区間の時間だけ周波数誤差調整部Ａ１６０からの信号を遅延させるものである。複素共役演算回路１７２は、遅延回路１７１の出力に対して複素共役演算を施して複素信号の虚数成分の値だけ正負を反転させるものである。複素乗算回路１７３は、複素共役演算回路１７２の出力と周波数誤差調整部Ａ１６０からの信号との複素乗算を行うことによりＯＦＤＭシンボルの繰り返し信号区間だけ遅延させた受信信号の間の相関を算出するものである。
【００４８】
平均処理回路１７４は、複素乗算回路１７３によって算出された相関値について、ＯＦＤＭシンボルの繰り返し区間に亘って平均処理を行うものである。ピーク位置検出回路１７５は、平均処理回路１７４による相関結果が所定の閾値を超えたことを検出することによりシンボルタイミングを決定するものである。このピーク位置検出回路１７５の出力は選択器１７６の一方の入力に供給されるとともに、制御部３００に供給される。選択器１７６のもう一方の入力には制御部３００からの値が供給される。すなわち、選択器１７６は、ピーク位置検出回路１７５の出力または制御部３００からの値の何れかを離散フーリエ変換器Ａ１８０に供給する。
【００４９】
なお、ここでは、自己相関型のタイミング再生回路について説明したが、マッチド・フィルタ（Matched Filter）を用いた相互相関型のタイミング再生回路を採用することも可能である。また、ここではタイミング再生部Ａ１７０の構成例について説明したが、タイミング再生部Ｂ２７０も同様の構成により実現可能である。
【００５０】
図６は、本発明の実施の形態における制御部３００の一構成例を示す図である。この制御部３００は、強度判定部Ａ３１４およびＢ３２４と、増幅制御部Ａ３１５およびＢ３２５と、周波数誤差調整制御部Ａ３１６およびＢ３２６と、タイミング再生制御部Ａ３１７およびＢ３２７とを備える。すなわち、この制御部３００は、２系統の受信ブロックに対応して２系統の制御ブロックを備えている。
【００５１】
強度判定部Ａ３１４は、信号強度表示部Ａ１４０において測定された信号強度を受けて、所定の信号強度を超えた場合に増幅制御部Ａ３１５および強度判定部Ｂ３２４にその旨を通知する。同様に、強度判定部Ｂ３２４は、信号強度表示部Ｂ２４０において測定された信号強度を受けて、所定の信号強度を超えた場合に増幅制御部Ｂ３２５および強度判定部Ａ３１４にその旨を通知する。
【００５２】
また、強度判定部Ａ３１４は、強度判定部Ｂ３２４から信号強度表示部Ｂ２４０における信号強度が所定の信号強度を超えた旨の通知を受けると、信号強度表示部Ａ１４０における信号強度が所定の信号強度を超えるのを待つ。そして、所定時間経過しても信号強度表示部Ａ１４０における信号強度が所定の信号強度を超えない場合には、強度判定部Ａ３１４は、局部発振器Ａ１２１の発振出力における受信に失敗したものとして、周波数変換器Ａ１２２に供給される発振出力を局部発振器Ａ１２１から局部発振器Ｂ２２１に切り替えるようスイッチＡ３０１を制御する。その際、強度判定部Ａ３１４はさらに、増幅制御部Ａ３１５、周波数誤差調整制御部Ａ３１６およびタイミング再生制御部Ａ３１７に対して局部発振器Ａ１２１の発振出力における受信に失敗した旨の通知を行う。
【００５３】
また、強度判定部Ｂ３２４は、強度判定部Ａ３１４から信号強度表示部Ａ１４０における信号強度が所定の信号強度を超えた旨の通知を受けると、信号強度表示部Ｂ２４０における信号強度が所定の信号強度を超えるのを待つ。そして、所定時間経過しても信号強度表示部Ｂ２４０における信号強度が所定の信号強度を超えない場合には、強度判定部Ｂ３２４は、局部発振器Ｂ２２１の発振出力における受信に失敗したものとして、周波数変換器Ｂ２２２に供給される発振出力を局部発振器Ｂ２２１から局部発振器Ａ１２１に切り替えるようスイッチＢ３０２を制御する。その際、強度判定部Ｂ３２４はさらに、増幅制御部Ｂ３２５、周波数誤差調整制御部Ｂ３２６およびタイミング再生制御部Ｂ３２７に対して局部発振器Ｂ２２１の発振出力における受信に失敗した旨の通知を行う。
【００５４】
増幅制御部Ａ３１５は、強度判定部Ａ３１４から信号強度表示部Ａ１４０における信号強度が所定の信号強度を超えた旨の通知、または、局部発振器Ａ１２１の発振出力における受信に失敗した旨の通知を受けると、信号増幅部Ａ１５０を起動する。信号増幅部Ａ１５０は、所定の受信レベルまで信号を増幅すると、増幅制御部Ａ３１５にその旨を通知する。増幅制御部Ａ３１５は、信号増幅部Ａ１５０から所定の受信レベルまで信号を増幅した旨の通知を受けると、周波数誤差調整制御部Ａ３１６にその旨を通知する。
【００５５】
同様に、増幅制御部Ｂ３２５は、強度判定部Ｂ３２４から信号強度表示部Ｂ２４０における信号強度が所定の信号強度を超えた旨の通知、または、局部発振器Ｂ２２１の発振出力における受信に失敗した旨の通知を受けると、信号増幅部Ｂ２５０を起動する。信号増幅部Ｂ２５０は、所定の受信レベルまで信号を増幅すると、増幅制御部Ｂ３２５にその旨を通知する。増幅制御部Ｂ３２５は、信号増幅部Ｂ２５０から所定の受信レベルまで信号を増幅した旨の通知を受けると、周波数誤差調整制御部Ｂ３２６にその旨を通知する。
【００５６】
周波数誤差調整制御部Ａ３１６は、増幅制御部Ａ３１５から所定の受信レベルまで信号が増幅された旨の通知を受けると周波数誤差調整部Ａ１６０を起動する。周波数誤差調整部Ａ１６０は、周波数誤差を算出するとその周波数シフト量を周波数誤差調整制御部Ａ３１６に供給する。周波数誤差調整制御部Ａ３１６は、この周波数シフト量を周波数誤差調整制御部Ｂ３２６に供給する。
【００５７】
同様に、周波数誤差調整制御部Ｂ３２６は、増幅制御部Ｂ３２５から所定の受信レベルまで信号が増幅された旨の通知を受けると周波数誤差調整部Ｂ２６０を起動する。周波数誤差調整部Ｂ２６０は、周波数誤差を算出するとその周波数シフト量を周波数誤差調整制御部Ｂ３２６に供給する。周波数誤差調整制御部Ｂ３２６は、この周波数シフト量を周波数誤差調整制御部Ａ３１６に供給する。
【００５８】
但し、強度判定部Ａ３１４から局部発振器Ａ１２１の発振出力における受信に失敗した旨の通知がされている場合には、周波数誤差調整制御部Ａ３１６は、周波数誤差調整制御部Ｂ３２６から供給された周波数シフト量を周波数誤差調整部Ａ１６０の周波数誤差保持部１６６に設定する。同様に、強度判定部Ｂ３２４から局部発振器Ｂ２２１の発振出力における受信に失敗した旨の通知がされている場合には、周波数誤差調整制御部Ｂ３２６は、周波数誤差調整制御部Ａ３１６から供給された周波数シフト量を周波数誤差調整部Ｂ２６０の周波数誤差保持部（図４の周波数誤差調整部Ａ１６０における周波数誤差保持部１６６に相当）に設定する。
【００５９】
これに続いて、タイミング再生制御部Ａ３１７は、タイミング再生部Ａ１７０を起動する。タイミング再生部Ａ１７０は、復調タイミングを再生するとその再生タイミングをタイミング再生制御部Ａ３１７に供給する。タイミング再生制御部Ａ３１７は、この再生タイミングをタイミング再生制御部Ｂ３２７に供給する。
【００６０】
同様に、タイミング再生制御部Ｂ３２７は、タイミング再生部Ｂ２７０を起動する。タイミング再生部Ｂ２７０は、復調タイミングを再生するとその再生タイミングをタイミング再生制御部Ｂ３２７に供給する。タイミング再生制御部Ｂ３２７は、この再生タイミングをタイミング再生制御部Ａ３１７に供給する。
【００６１】
但し、強度判定部Ａ３１４から局部発振器Ａ１２１の発振出力における受信に失敗した旨の通知がされている場合には、タイミング再生制御部Ａ３１７は、タイミング再生制御部Ｂ３２７から供給された再生タイミングをタイミング再生部Ａ１７０の選択器１７６において選択させる。同様に、強度判定部Ｂ３２４から局部発振器Ｂ２２１の発振出力における受信に失敗した旨の通知がされている場合には、タイミング再生制御部Ｂ３２７は、タイミング再生制御部Ａ３１７から供給された再生タイミングをタイミング再生部Ｂ２７０の選択器（図５のタイミング再生部Ａ１７０における選択器１７６に相当）において選択させる。
【００６２】
図７は、本発明の実施の形態における動作タイミングの一例を示す図である。ここでは、当初、周波数変換器Ａ１２２には局部発振器Ａ１２１の発振出力が供給され、周波数変換器Ｂ２２２には局部発振器Ｂ２２１の発振出力が供給されているものとする。そして、信号強度表示部Ａ１４０において所定の信号強度が検出され、その後、所定時間内に信号強度表示部Ｂ２４０において所定の信号強度が検出されなかった場合を想定する。
【００６３】
ショートプリアンブル６１５の開始当初から、信号増幅部Ａ１５０では信号の増幅が行われ、周波数誤差調整部Ａ１６０ではキャリア周波数誤差の調整が行われる。一方、信号増幅部Ｂ２５０では当初は信号の増幅が行われない。所定時間内に信号強度表示部Ｂ２４０において所定の信号強度が検出されないため、周波数変換器Ｂ２２２に局部発振器Ａ１２１の発振出力が供給されるようスイッチ３０２が切り替えられる。その後、信号増幅部Ｂ２５０でも信号の増幅が行われるようになる。
【００６４】
周波数誤差調整部Ｂ２６０では、既にショートプリアンブル６１５の期間の大半が経過しているため自力ではキャリア周波数誤差を算出することが困難になっている。そのため、周波数誤差調整部Ａ１６０で算出されたキャリア周波数誤差が周波数誤差調整部Ｂ２６０に供給される。具体的には、図４の周波数誤差調整部Ａ１６０内の周波数誤差保持部１６６に相当する、周波数誤差調整部Ｂ２６０内の周波数誤差保持部にキャリア周波数誤差が設定される。これにより、周波数誤差調整部Ｂ２６０はキャリア周波数誤差の調整を行えるようになる。
【００６５】
ショートプリアンブル６１５からロングプリアンブル６１６に切り替わるタイミングで、タイミング再生部Ａ１７０は再生タイミングを出力する。この再生タイミングはその後の離散フーリエ変換器Ａ１８０におけるフーリエ変換に使用される。一方、タイミング再生部Ｂ２７０では、周波数誤差調整部Ｂ２６０の場合と同様に自力で再生タイミングを生成することができないため、タイミング再生部Ａ１７０の出力した再生タイミングを利用して離散フーリエ変換器Ｂ２８０に対して再生タイミングを出力する。
【００６６】
なお、ここでは、所定時間内に信号強度表示部Ｂ２４０において所定の信号強度が検出されなかった場合について説明したが、所定時間内に信号強度表示部Ａ１４０において所定の信号強度が検出されなかった場合には互いの関係が逆になるだけで同様の動作が行われる。
【００６７】
図８は、本発明の実施の形態における信号処理部４００の構成例を示す図である。この信号処理部４００は、振幅位相補正部Ａ１９０およびＢ２９０からの２系統の信号を受けて信号処理を行い、通信制御部５００に対して１系統の信号を出力する。
【００６８】
図８（ａ）の構成例では、２系統の信号それぞれに対して別々にＥＣＣ（Error Correcting Code）４１１および４１２によりデータの誤りを検出および訂正するためのエラー訂正処理が施され、ＣＲＣ（Cyclic Redundancy Check）４１３および４１４によりバースト誤りを検出するための巡回冗長検査が行われる。そして、これらの結果、何れかエラー検出のされなかった方がスイッチ４１５により選択される。
【００６９】
図８（ｂ）の構成例では、２系統の信号についてサブキャリア単位で受信信号強度の高い方がスイッチ４２１により選択されて１系統の信号に絞り込まれる。そして、得られた１系統の信号に対してＥＣＣ４２２によりエラー訂正処理が施され、ＣＲＣ４２３により巡回冗長検査が行われる。
【００７０】
図８（ｃ）の構成例では、２系統の信号についてサブキャリア単位で合成器４３１により信号の合成などがされて１系統の信号に絞り込まれる。そして、得られた１系統の信号に対してＥＣＣ４３２によりエラー訂正処理が施され、ＣＲＣ４３３により巡回冗長検査が行われる。
【００７１】
このような信号処理部４００における信号処理により、振幅位相補正部Ａ１９０およびＢ２９０からの２系統の信号が１系統に合成される。すなわち、周波数変換器Ａ１２２およびＢ２２２において局部発振器Ａ１２１またはＢ２２１のうち互いに異なる発振出力を用いた場合には、周波数ダイバシティとしての効果を得ることができる。また、周波数変換器Ａ１２２およびＢ２２２において局部発振器Ａ１２１またはＢ２２１の何れか一方の発振出力を共用した場合には、空間ダイバシティとしての効果を得ることができる。
【００７２】
なお、この図８では、周波数ダイバシティとしての効果を想定して、信号処理部４００において合成もしくは選択するための構成について説明したが、これは一例に過ぎない。他の例として、１つのデータを例えば前半部と後半部に分割して、前半部と後半部をそれぞれ異なる伝送路により伝送する場合を想定すると、振幅位相補正部Ａ１９０およびＢ２９０からの２系統の信号は、前半部と後半部を結合することにより元のデータを復元することができる。このような前半部と後半部の結合は、この信号処理部４００において行うようにしてもよく、また、後段の通信制御部５００において行うようにしてもよい。
【００７３】
さらに、これら２系統の信号は前半部と後半部という関係に限られず、それぞれ独立したデータであってもよい。この場合は、これらデータは信号処理部４００から通信制御部５００に対して独立したデータとして供給され、通信制御部５００がそれぞれ独立したデータとして取り扱うことになる。
【００７４】
次に本発明の実施の形態における復調装置の動作手順について図面を参照して説明する。
【００７５】
図９は、本発明の実施の形態における制御部３００の初期設定手順の一例を示すフローチャートである。まず、強度判定部Ａ３１４は、初期状態として周波数変換器Ａ１２２に対して例えば局部発振器Ａ１２１の発振出力を供給するようスイッチＡ３０１を設定する（ステップＳ９１１）。
【００７６】
そして、増幅制御部Ａ３１５は、信号増幅部Ａ１５０に対して信号増幅のための引き込み処理をせず待機するよう指示する（ステップＳ９１２）。また、周波数誤差調整制御部Ａ３１６は、周波数誤差調整部Ａ１６０に対して周波数誤差調整のための引き込み処理をせず待機するよう指示する（ステップＳ９１３）。さらに、タイミング再生制御部Ａ３１７は、タイミング再生部Ａ１７０に対して再生タイミング生成のための引き込み処理をせず待機するよう指示する（ステップＳ９１４）。
【００７７】
なお、ここでは、強度判定部Ａ３１４、増幅制御部Ａ３１５、周波数誤差調整制御部Ａ３１６およびタイミング再生制御部Ａ３１７による１系統分の初期設定手順について説明したが、他の系統についても同様であり、強度判定部Ｂ３２４、増幅制御部Ｂ３２５、周波数誤差調整制御部Ｂ３２６およびタイミング再生制御部Ｂ３２７により同様に初期設定手順が実行される。
【００７８】
図１０は、本発明の実施の形態における制御部３００の制御手順の一例を示すフローチャートである。信号強度表示部Ａ１４０において所定の信号強度が測定されると（ステップＳ９２１）、強度判定部Ａ３１４は信号強度表示部Ａ１４０における信号強度が所定の信号強度を超えた旨を増幅制御部Ａ３１５に通知する。これにより、増幅制御部Ａ３１５は信号増幅部Ａ１５０を起動する（ステップＳ９２３）。また、強度判定部Ａ３１４は信号強度表示部Ａ１４０における信号強度が所定の信号強度を超えた旨を信号増幅部Ｂ２５０側の強度判定部Ｂ３２４に通知する（ステップＳ９２４）。
【００７９】
そして、増幅制御部Ａ３１５が所定の受信レベルまで増幅が行われた旨の通知を信号増幅部Ａ１５０から受けると（ステップＳ９２５）、周波数誤差調整制御部Ａ３１６は周波数誤差調整部Ａ１６０に対して周波数誤差調整を行うよう起動をかける（ステップＳ９２６）。また、タイミング再生制御部Ａ３１７は、タイミング再生部Ａ１７０に対して再生タイミング生成を行うよう起動をかける（ステップＳ９２７）。
【００８０】
上述の手順（ステップＳ９２３乃至Ｓ９２７）は、信号強度表示部Ｂ２４０において所定の信号強度が先に測定され、その後、所定時間内に信号強度表示部Ａ１４０において所定の信号強度が測定された場合にも適用される。但し、信号強度表示部Ｂ２４０において所定の信号強度が先に測定され、その後、所定時間内に信号強度表示部Ａ１４０において所定の信号強度が測定されなかった場合にはタイムアウトとなり、以下の処理が行われる（ステップＳ９２１）。
【００８１】
すなわち、強度判定部Ａ３１４は、周波数変換器Ａ１２２に対する局部発振器の発振出力を切り替え、例えば、局部発振器Ｂ２２１の発振出力を供給するようスイッチＡ３０１を制御する（ステップＳ９３２）。そして、強度判定部Ａ３１４は局部発振器Ａ１２１の発振出力における受信に失敗した旨を増幅制御部Ａ３１５に通知する。これにより、増幅制御部Ａ３１５は信号増幅部Ａ１５０を起動する（ステップＳ９３３）。
【００８２】
そして、増幅制御部Ａ３１５が所定の受信レベルまで増幅が行われた旨の通知を信号増幅部Ａ１５０から受けると（ステップＳ９３５）、周波数誤差調整制御部Ａ３１６は周波数誤差調整部Ｂ２６０から供給された周波数誤差を周波数誤差調整部Ａ１６０の周波数誤差保持部１６６に設定する（ステップＳ９３６）。また、タイミング再生制御部Ａ３１７は、タイミング再生部Ｂ２７０から供給された再生タイミングをタイミング再生部Ａ１７０に設定する（ステップＳ９３７）。
【００８３】
なお、ここでは、強度判定部Ａ３１４、増幅制御部Ａ３１５、周波数誤差調整制御部Ａ３１６およびタイミング再生制御部Ａ３１７による１系統分の制御手順について説明したが、他の系統についても同様であり、強度判定部Ｂ３２４、増幅制御部Ｂ３２５、周波数誤差調整制御部Ｂ３２６およびタイミング再生制御部Ｂ３２７により同様に制御手順が実行される。そして、それぞれの系列において離散フーリエ変換器Ａ１８０およびＢ２８０による離散フーリエ変換、振幅位相補正部Ａ１９０およびＢ２９０による振幅位相補正が行われる。その後、信号処理部４００における信号処理が行われる。
【００８４】
このように、本発明の実施の形態によれば、周波数ダイバシティ方式により復調を行う際、第１の系列で所定時間内に所定の信号強度が測定されないことが検出された場合、強度判定部Ａ３１４またはＢ３２４は第１の系列における受信周波数を第２の系列と共用するよう制御する。そして、第２の系列において生成された周波数誤差を周波数誤差調整制御部Ａ３１６およびＢ３２６により第１の系列に供給し、第２の系列において生成された再生タイミングをタイミング再生制御部Ａ３１７およびＢ３２７により第１の系列に供給することにより、空間ダイバシティ方式による復調を行うよう切り替えることができる。そして、これにより第１の系列の利用効率を高めることができる。
【００８５】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８６】
すなわち、請求項１において、第１および第２の高周波受信手段は例えば高周波回路Ａ１２０およびＢ２２０に対応する。また、第１および第２の信号強度検出手段は例えば信号強度表示部Ａ１４０およびＢ２４０に対応する。また、強度判定手段は例えば強度判定部Ａ３１４およびＢ３２４に対応する。
【００８７】
また、請求項２において、第１および第２の周波数誤差調整手段は例えば周波数誤差調整部Ａ１６０およびＢ２６０に対応する。また、周波数誤差調整制御手段は例えば周波数誤差調整制御部Ａ３１６およびＢ３２６に対応する。
【００８８】
また、請求項３または４において、第１および第２のタイミング再生手段は例えばタイミング再生部Ａ１７０およびＢ２７０に対応する。また、タイミング再生制御手段は例えばタイミング再生制御部Ａ３１７およびＢ３２７に対応する。
【００８９】
また、請求項５において、第１および第２の高周波受信手段は例えば高周波回路Ａ１２０およびＢ２２０に対応する。また、第１および第２の信号強度検出手段は例えば信号強度表示部Ａ１４０およびＢ２４０に対応する。また、強度判定手段は例えば強度判定部Ａ３１４およびＢ３２４に対応する。第１および第２の周波数誤差調整手段は例えば周波数誤差調整部Ａ１６０およびＢ２６０に対応する。また、周波数誤差調整制御手段は例えば周波数誤差調整制御部Ａ３１６およびＢ３２６に対応する。また、第１および第２の復調手段は例えば離散フーリエ変換器Ａ１８０およびＢ２８０に対応する。第１および第２のタイミング再生手段は例えばタイミング再生部Ａ１７０およびＢ２７０に対応する。また、タイミング再生制御手段は例えばタイミング再生制御部Ａ３１７およびＢ３２７に対応する。また、信号処理手段は例えば信号処理部４００に対応する。
【００９０】
また、請求項６において、エラー検出手段は例えばＥＣＣ４１１および４１２ならびにＣＲＣ４１３および４１４に対応する。また、選択手段は例えばスイッチ４１５に対応する。
【００９１】
また、請求項７において、選択手段は例えばスイッチ４２１に対応する。
【００９２】
また、請求項８において、合成手段は例えば合成器４３１に対応する。
【００９３】
また、請求項９または１０において、第１および第２の高周波受信手段は例えば高周波回路Ａ１２０およびＢ２２０に対応する。第１および第２の周波数誤差調整手段は例えば周波数誤差調整部Ａ１６０およびＢ２６０に対応する。第１および第２のタイミング再生手段は例えばタイミング再生部Ａ１７０およびＢ２７０に対応する。また、第１の高周波受信手段において第１の周波数による高周波信号を受信させるとともに第２の高周波受信手段において第２の周波数による高周波信号を受信させる手順は例えばステップＳ９１１に対応する。また、第１および第２の高周波受信手段において受信された信号の強度をそれぞれ検出する手順は例えばステップＳ９２１に対応する。また、第１の高周波受信手段について所定の信号強度を検出してから所定時間内に第２の高周波受信手段について所定の信号強度を検出しなかった場合には第２の高周波受信手段において第１の周波数による高周波信号を受信させるよう制御する手順は例えばステップＳ９３２に対応する。また、第１の高周波受信手段について所定の信号強度を検出してから所定時間内に第２の高周波受信手段について所定の信号強度を検出しなかった場合には第１の周波数誤差調整手段において生成されたキャリア周波数誤差を第２の周波数誤差調整手段に供給する手順は例えばステップＳ９３６に対応する。また、第１の高周波受信手段について所定の信号強度を検出してから所定時間内に第２の高周波受信手段について所定の信号強度を検出しなかった場合には第１のタイミング再生手段において再生されたタイミングを第２のタイミング再生手段に供給する手順は例えばステップＳ９３７に対応する。
【００９４】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００９５】
本発明の活用例として、例えば複数の受信ブロックを備える復調装置において受信ブロックの有効活用を図る際に本発明を適用することができる。
【図面の簡単な説明】
【００９６】
【図１】本発明の実施の形態における復調装置の一構成例を示す図である。
【図２】本発明の実施の形態における復調装置の受信ブロックの内部構成の一例を示す図である。
【図３】ＩＥＥＥ８０２．１１ａ規格におけるフレーム構成を示す図である。
【図４】本発明の実施の形態における周波数誤差調整部Ａ１６０の一構成例を示す図である。
【図５】本発明の実施の形態におけるタイミング再生部Ａ１７０の一構成例を示す図である。
【図６】本発明の実施の形態における制御部３００の一構成例を示す図である。
【図７】本発明の実施の形態における動作タイミングの一例を示す図である。
【図８】本発明の実施の形態における信号処理部４００の構成例を示す図である。
【図９】本発明の実施の形態における制御部３００の初期設定手順の一例を示すフローチャートである。
【図１０】本発明の実施の形態における制御部３００の制御手順の一例を示すフローチャートである。
【符号の説明】
【００９７】
１１０、２１０  アンテナ
１２０、２２０  高周波回路
１２１、２２１  局部発振器
１２２、２２２  周波数変換器
１３０、２３０  復調部
１４０、２４０  信号強度表示部
１５０、２５０  信号増幅部
１６０、２６０  周波数誤差調整部
１６１  遅延回路
１６２  複素共役演算回路
１６３、１６９  複素乗算回路
１６４  平均位相回転量算出回路
１６５  周波数誤差検出回路
１６６  周波数誤差保持部
１６７  積分回路
１６８  複素共役ベクトル変換演算回路
１７０  タイミング再生部
１７１  遅延回路
１７２  複素共役演算回路
１７３  複素乗算回路
１７４  平均処理回路
１７５  ピーク位置検出回路
１７６  選択器
１８０、２８０  離散フーリエ変換器
１９０、２９０  振幅位相補正部
１９１、２９１  補正量算出部
３００  制御部
３０１、３０２  スイッチ
３１４、３２４  強度判定部
３１５、３２５  増幅制御部
３１６、３２６  周波数誤差調整制御部
３１７、３２７  タイミング再生制御部
４００  信号処理部
４１１、４１２、４２２、４３２  ＥＣＣ
４１３、４１４、４２３、４３３  ＣＲＣ
４１５、４２１  スイッチ
４３１  合成器
５００  通信制御部
５９０  周辺インターフェース
【図１】
2005333525.tif 000003
【図２】
2005333525.tif 000004
【図３】
2005333525.tif 000005
【図４】
2005333525.tif 000006
【図５】
2005333525.tif 000007
【図６】
2005333525.tif 000008
【図７】
2005333525.tif 000009
【図８】
2005333525.tif 000010
【図９】
2005333525.tif 000011
【図１０】
2005333525.tif 000012